(57)【要約】【課題】ユーザがあらかじめ「地図表示」「関連情報表示」などアラーム設定内容を設定しておくだけで、自動的に各予定に関連する地図やその他の情報を検索し、アラーム設定時刻に合わせて検索結果を表示することを可能とする。【解決手段】スケジュール管理機能を有する小型電子機器は、ユーザにより入力される項目として少なくとも場所、アラーム設定時刻からなるスケジュールデータを記憶するフラッシュメモリ４と、一つ又は複数の外部の情報データベースに接続する通信インターフェース部６、前記通信インターフェース部６を介して前記外部の情報データベースから前記スケジュールデータに含まれる場所の関連情報をアラーム設定時刻又はアラーム設定時刻の一定時間前に検索する制御部１とを有する。【選択図】        図１
2004192089.tif 000002
【特許請求の範囲】
【請求項１】
スケジュール管理機能を有する小型電子機器であって、ユーザにより入力される項目として少なくとも場所、アラーム設定時刻からなるスケジュールデータを記憶する記憶手段と、一つ又は複数の外部の情報データベースに接続する通信インターフェース手段、前記通信インターフェース手段を介して前記外部の情報データベースから前記スケジュールデータに含まれる場所の関連情報を所定の時刻に検索する制御手段とを有し、前記所定の時刻はアラーム設定時刻又はアラーム設定時刻の一定時間前であることを特徴とする小型電子機器。
【請求項２】
前記スケジュールデータは更に項目として、名称、内容、アラーム設定時刻とは異なる日時、アラーム設定内容のいずれか又は複数の組合せを含むことを特徴とする請求項１記載の小型電子機器。
【請求項３】
前記小型電子機器は、前記制御手段による検索結果を表示する表示手段を有することを特徴とする請求項１又は２記載の小型電子機器。
【請求項４】
前記スケジュールデータに含まれる前記場所は、場所名称又は住所であることを特徴とする請求項１乃至３の何れか１項に記載の小型電子機器。
【請求項５】
前記外部の情報データベースは地図情報データベースを含むことを特徴とする請求項１乃至４の何れか１項に記載の小型電子機器。
【請求項６】
前記小型電子機器は、更に、振動を発生するバイブレーション手段を有し、前記アラーム設定時刻に振動を発生する事を特徴とする請求項１乃至５の何れか１項に記載の小型電子機器。
【請求項７】
前記小型電子機器は、更に、音声を発生するスピーカー手段を有し、前記アラーム設定時刻に音を発生する事を特徴とする請求項１乃至６の何れか１項に記載の小型電子機器。
【請求項８】
前記小型電子機器は、更に、光を発生する発光手段を有し、前記アラーム設定時刻に光を発生させることを特徴とする請求項１乃至７の何れかに１項記載の小型電子機器。
【請求項９】
前記アラーム設定時刻に、アラーム設定時刻となった事を前記表示手段により表示することを特徴とする請求項３乃至８の何れか１項に記載の小型電子機器。
【請求項１０】
前記アラーム設定時刻に前記制御手段による検索結果を前記表示手段により表示することを特徴とする請求項３乃至９の何れか１項に記載の小型電子機器。
【請求項１１】
小型電子機器は、更に、情報データベースを記憶する第二の記憶手段を有し、前記制御手段は、前記外部の情報データベースから検索する時に、前記第二の記憶手段内の情報データベースをも検索する事を特徴とする請求項１乃至１０の何れか１項に記載の小型電子機器。
【請求項１２】
前記記憶手段と前記第二の記憶手段は、単一の記憶媒体である事を特徴とする請求項１１に記載の小型電子機器。
【請求項１３】
スケジュール管理機能を有する小型電子機器であって、ユーザにより入力される項目として少なくとも場所、アラーム設定時刻からなるスケジュールデータを記憶する記憶手段と、情報データベースを記憶する第二の記憶手段、前記情報データベースから前記スケジュールデータに含まれる場所の関連情報を所定の時刻に検索する制御手段とを有し、前記所定の時刻はアラーム設定時刻又はアラーム設定時刻の一定時間前であることを特徴とする小型電子機器。
【請求項１４】
前記スケジュールデータは更に項目として、名称、内容、アラーム設定時刻とは異なる日時、アラーム設定内容のいずれか又は複数の組合せを含むことを特徴とする請求項１３記載の小型電子機器。
【請求項１５】
前記小型電子機器は、前記制御手段による検索結果を表示する表示手段を有することを特徴とする請求項１３又は１４記載の小型電子機器。
【請求項１６】
前記スケジュールデータに含まれる前記場所は、場所名称又は住所であることを特徴とする請求項１３乃至１５の何れか１項に記載の小型電子機器。
【請求項１７】
前記情報データベースは地図情報データベースを含むことを特徴とする請求項１３乃至１６の何れか１項に記載の小型電子機器。
【請求項１８】
前記小型電子機器は、更に、振動を発生するバイブレーション手段を有し、前記アラーム設定時刻に振動を発生する事を特徴とする請求項１３乃至１７の何れかに１項記載の小型電子機器。
【請求項１９】
前記小型電子機器は、更に、音声を発生するスピーカー手段を有し、前記アラーム設定時刻に音を発生する事を特徴とする請求項１３乃至１８の何れか１項に記載の小型電子機器。
【請求項２０】
前記小型電子機器は、更に、光を発生する発光手段を有し、前記アラーム設定時刻に光を発生させることを特徴とする請求項１３乃至１９の何れか１項に記載の小型電子機器。
【請求項２１】
前記アラーム設定時刻に、アラーム設定時刻となった事を前記表示手段により表示することを特徴とする請求項１５乃至２０の何れか１項に記載の小型電子機器。
【請求項２２】
前記アラーム設定時刻に前記制御手段の検索結果を前記表示手段により表示することを特徴とする請求項１５乃至２１の何れか１項に記載の小型電子機器。
【請求項２３】
前記記憶手段と前記第二の記憶手段は、単一の記憶媒体である事を特徴とする請求項１３乃至２２の何れか１項に記載の小型電子機器。
【発明の詳細な説明】
【０００１】
【発明の属する技術分野】
本発明は、スケジュール管理機能と、情報データベースから登録されているスケジュールに関連する場所の情報を自動的に検索する機能を備えた小型電子機器に関するものである。
【０００２】
【従来の技術】
スケジュール管理機能を持ち、スケジュールデータのアラーム設定時刻にアラームでスケジュールのある事を知らせる電子手帳が従来から知られている。このような例として、特開平２−３００９６７号公報に示されている小型電子機器がある。
【０００３】
更に近年のコンピュータの小型化によりスケジュール管理の他、様々な情報を扱うことができ、インターネット等の外部機器に接続可能な小型電子機器が普及してきている。その小型電子機器の一つとしてスケジュールデータに応じて目的地までの経路及び所要時間を外部データベースから探索し、その所要時間に応じてアラーム時刻を設定する小型電子機器が特開平７−２０９４５１号公報に示されている。
【０００４】
【発明が解決しようとする課題】
しかしながら、上記従来技術においては次のような問題があった。即ち、上記従来の小型電子機器では、アラームによりユーザはスケジュールの存在と場所を知ることができるが、更に目的地に関する地図など詳細な情報を入手する場合は、インターネット等に接続された外部機器上の外部データベース或いは内蔵記憶装置上のデータベースをユーザが自ら検索するしか方法は無かった。従って、ユーザはスケジュールデータに示された場所の詳細な情報を入手しようとした際には、スケジュールを入力するだけでなく、別途、小型電子機器に対して操作を行わなければならないという課題があった。
【０００５】
本発明は、上述した点に鑑みなされたものであり、ユーザがあらかじめ「地図表示」「関連情報表示」などアラーム設定内容を設定しておくだけで、自動的に各予定に関連する地図やその他の情報を検索し、アラーム設定時刻に合わせて検索結果を表示することを可能とした小型電子機器を提供することを目的とする。
【０００６】
【課題を解決するための手段】
上記目的を達成するため、本発明は、スケジュール管理機能を有する小型電子機器であって、ユーザにより入力される項目として少なくとも場所、アラーム設定時刻からなるスケジュールデータを記憶する記憶手段と、一つ又は複数の外部の情報データベースに接続する通信インターフェース手段、前記通信インターフェース手段を介して前記外部の情報データベースから前記スケジュールデータに含まれる場所の関連情報を所定の時刻に検索する制御手段とを有し、前記所定の時刻はアラーム設定時刻又はアラーム設定時刻の一定時間前であることを特徴とする。
【０００７】
また、本発明は、スケジュール管理機能を有する小型電子機器であって、ユーザにより入力される項目として少なくとも場所、アラーム設定時刻からなるスケジュールデータを記憶する記憶手段と、情報データベースを記憶する第二の記憶手段、前記情報データベースから前記スケジュールデータに含まれる場所の関連情報を所定の時刻に検索する制御手段とを有し、前記所定の時刻はアラーム設定時刻又はアラーム設定時刻の一定時間前であることを特徴とする。
【０００８】
【発明の実施の形態】
以下、本発明の実施例を図面に基づいて説明する。
【０００９】
図１は本発明の小型電子機器の構成を示すブロック図である。小型電子機器は、制御部１、ＲＯＭ２、ＲＡＭ３、フラッシュメモリ４、リムーバブル記憶装置５、通信インターフェース部６、入力部７、発光部８、スピーカー部９、振動発生部１０を備えている。
【００１０】
上記各部の構成及び機能を詳述すると、制御部１はＣＰＵより構成されており、小型電子機器全体をＲＯＭ２やフラッシュメモリ４、リムーバブル記憶装置５に格納されているプログラムに従って制御する。ＲＯＭ２には、スケジュール管理プログラム及び検索プログラムを含む本小型電子機器の制御プログラムが格納されている。ＲＡＭ３はＳＤＲＡＭより構成されており、制御部１がプログラムを展開、実行するための領域として使用される。フラッシュメモリ４は、プログラムの他、ユーザが変更可能な各種設定情報が格納される。
【００１１】
リムーバブル記憶装置５はメモリカードより構成されており、任意に取り外し可能である。通信インターフェース部６は、携帯電話、モデム、ＬＡＮ等の通信機器と接続し、データの入出力を行う。入力部７は、タッチパネル及びプッシュスイッチにより構成されており、ユーザからのコマンドを受け付ける。表示部８は液晶表示装置である。発光部９はＬＥＤから構成されており、スピーカー部１０、振動発生部１１と共に制御部１により制御される。
【００１２】
スケジュール管理プログラムは、入力部７を用いてユーザに入力される予定の名称、内容、場所、日時、アラーム設定時刻、アラーム設定内容からなるスケジュールデータをフラッシュメモリ４に格納する。場所は、住所、固有名称のいずれか又は両方で入力される。日時はスケジュール内容の開始時刻である。アラーム設定時刻はスケジュールの存在をユーザに知らせる動作を小型電子機器が実行する時刻である。このスケジュールの存在を知らせる動作とは、スケジュール名称などの表示、アラーム音発生、振動、場所関連情報の表示をする動作である。検索プログラムは、通信インターフェース部６を介して外部の情報データベースから検索する。
【００１３】
更に、制御部１は、スケジュールデータに含まれるアラーム設定内容に検索が指定されている時、アラーム設定時刻又はアラーム設定時刻の一定時間前に、検索プログラムを実行して場所に関連する情報を検索する制御を行う。ここでは検索する時刻をアラーム設定時刻の１０分前とする。
【００１４】
更に、制御部１は、アラーム設定時刻にアラーム設定内容に基づき、ユーザへスケジュールを通知する制御を行う。
【００１５】
次に上述の如く構成された小型電子機器の動作について図１〜図４を参照しながら詳細に説明する。図２は小型電子機器におけるスケジュール管理プログラムによるアラーム処理を示すフローチャートである。図３はスケジュールデータを構成する項目を示す。図４はスケジュールデータの入力例を示す。
【００１６】
スケジュールデータは、図３に示すように、名称、内容、場所、日時、アラーム設定時刻、アラーム設定内容という項目から構成されており、ユーザは入力部７を用いてスケジュール管理プログラムに従って各項目を入力し、スケジュールデータを作成する。項目は全てを入力する必要はなく、一部の項目のみでも良い。この作成されたスケジュールデータはフラッシュメモリ４に格納される。
【００１７】
ここで図４に示すスケジュールデータがフラッシュメモリ４に格納されているとする。制御部１はスケジュールデータがある場合（ステップＳ１）、アラーム設定時刻を監視している。図４に示すスケジュールデータのアラーム設定時刻の１０分前になった時（ステップＳ２）、制御部１は、スケジュールデータのアラーム設定内容を確認し（ステップＳ３）、地図表示、関連情報表示という設定内容から検索が必要であると判断する（ステップＳ４）。
【００１８】
そこで、制御部１は、地図表示のためにスケジュールデータに登録されている場所、「Ａセンタービル」を基に、検索プログラムを実行して地図情報を検索する。場所のデータ形式はここでは固有名称であるが、住所でもよい。場所を示す固有名称又は住所を基に外部にある地図情報データベースから地図情報を検索する（ステップＳ５）。固有名称は、例えば住所録など住所に変換できるデータベースが存在する場合は、住所に変換した上で、外部にある地図情報データベースから地図情報を検索してもよい。
【００１９】
次に関連情報表示のために、地図以外の情報をＡセンタービルという固有名称を基に地図以外の情報データベースから検索する。場所が固有名称でなく住所で入力されている場合は、住所を基に検索する。
【００２０】
検索終了後、検索結果をフラッシュメモリ４又はリムーバブル記憶装置５にダウンロードする（ステップＳ５）。
【００２１】
次に、制御部１はアラーム設定時刻になった時（ステップＳ６）、スピーカー１０からアラーム音を発生させてユーザにスケジュールの設定時刻になったことを通知するとともに、表示部８に予めダウンロードした検索結果を表示する（ステップＳ７）。例えば地図情報が無い、又は取得できない場合は表示部８に「地図情報無し」のテキストなどを表示部８に表示して、ユーザに知らせる。
【００２２】
ここで場所に関連する情報を検索する時刻をアラーム設定時刻１０分前としたが、アラーム設定時刻に検索を実行して検索結果を表示部８に表示するように構成してもよい。
【００２３】
また、検索結果を検索時にダウンロードしたが、検索時には検索結果をダウンロードせずに、検索結果のある外部データベースへのリンクを保存しておき、アラーム設定時刻に表示部８にそのリンクを表示するように構成してもよい。
【００２４】
また、アラーム設定内容は、表示部８による地図表示、関連情報表示、スケジュール内容表示、発光部９のＬＥＤ点灯、スピーカー部１０によるアラーム音発生、振動発生部９による振動などから任意の組合せを選択することができる。アラーム設定内容をＯＦＦにした場合は、スケジュール情報の保持のみでユーザに通知する制御を行わない。
【００２５】
また、地図以外の情報検索を関連情報表示として指定したが、例えばテナント情報、構内案内図情報など詳細な情報種別をアラーム設定内容に設定できるようにし、検索プログラムが場所を示す固有名称と「テナント」「構内案内」などの複数のキーワードによって外部情報データベースを検索するように構成しても構わない。
【００２６】
更に、場所を示す固有名称ではなく、住所で場所が入力されている場合は、地図以外の情報検索をしないように構成しても構わない。
【００２７】
以上説明したように、本実施形態によれば次のような効果を奏する。
【００２８】
（１）ユーザがあらかじめ「地図表示」「関連情報表示」などアラーム設定内容を設定しておくだけで、自動的に各予定に関連する地図やその他の情報を検索し、アラーム設定時刻に合わせて検索結果を表示することを可能とした小型電子機器を提供することができる。
【００２９】
（２）また、アラーム設定時刻前に検索することにより、検索やダウンロードにかかる時間を待つことなく、ユーザはアラーム設定時刻にスケジュールの場所に関する情報を閲覧することができる。
【００３０】
（３）また、アラーム設定内容を地図表示、関連情報表示、アラーム音発生、振動、スケジュール内容表示などから任意の組合せを選択可能とすることにより、ユーザはスケジュールの内容に応じて最適なスケジュール通知方法を選択することができる。
【００３１】
（４）更に、スケジュールに登録されている場所の固有名称とともに任意のキーワードを検索条件に設定可能とすることで、ユーザが必要とする情報をより入手しやすくすることができる。
【００３２】
［他の実施の形態］
尚、本実施形態では検索結果データをフラッシュメモリ４又はリムーバブル記憶装置５にダウンロードする場合を例に挙げたが、ダウンロードしたデータをスケジュール終了後、あらかじめ定めた時点で自動的に削除するようにしてもよい。あらかじめ定めた時点は固定ではなく、ユーザが任意に設定可能なものとしてもよい。例えば、スケジュール終了直後、或いは１日後など所定時間経過後に設定して構わない。
【００３３】
また、本実施形態では外部にある地図及び、地図以外の情報データベースを検索対象としたが、フラッシュメモリ４又はリムーバブル記憶装置５などの内蔵記憶媒体にデータベースを格納しておき、そのデータベースを検索対象としてもよい。また外部と内蔵記憶媒体の両方のデータベースを検索対象として、互いのデータベースが補完し合う構成としてもよい。この内蔵記憶媒体としては他に、フロッピー（登録商標）ディスク、ハードディスク、光ディスク、光磁気ディスク、ＣＤ−ＲＯＭ、ＣＤ−Ｒ、磁気テープ、ＲＯＭなどを用いることができる。
【００３４】
また、通信インターフェース部６が接続する、携帯電話、モデム、ＬＡＮ等の通信機器は本小型電子機器と一体に構成されてもよいのは言うまでもない。
【００３５】
【発明の効果】
以上説明したように、本発明によれば、次のような効果を奏する。
【００３６】
（１）ユーザがあらかじめ「地図表示」「関連情報表示」などアラーム設定内容を設定しておくだけで、各予定のアラーム設定時刻に合わせて自動的に地図や関連情報を検索し、検索結果を表示することを可能とした小型電子機器を提供することができる。
【００３７】
（２）また、アラーム設定時刻前に検索可能とすることにより、検索やダウンロードにかかる時間を待つことなく、ユーザはアラーム設定時刻にスケジュールの場所に関する情報を閲覧することができる。
【００３８】
（３）また、アラーム設定内容を地図表示、関連情報表示、アラーム音発生、振動、スケジュール内容表示などから任意の組合せを選択可能とすることにより、ユーザはスケジュールの内容に応じて最適なスケジュール通知方法を選択することができる。
【００３９】
（４）更に、スケジュールに登録されている場所の固有名称とともに任意のキーワードを検索条件に設定可能とすることで、ユーザが必要とする情報をより入手しやすくすることができる。
【図面の簡単な説明】
【図１】本発明の実施の形態に係る小型電子機器の構成を示すブロック図である。
【図２】本発明の実施の形態に係るスケジュールデータの項目の一例である。
【図３】本発明の実施の形態に係るスケジュールデータの一例である。
【図４】本発明の実施の形態に係るスケジュールデータの入力例である。
【符号の説明】
１  制御部
２  ＲＯＭ
３  ＲＡＭ
４  フラッシュメモリ
５  リムーバブル記憶装置
６  通信インターフェース部
７  入力部
８  表示部
９  発光部
１０  スピーカー部
１１  振動発生部
【図１】
2004192089.tif 000003
【図２】
2004192089.tif 000004
【図３】
2004192089.tif 000005
【図４】
2004192089.tif 000006